(57)【要約】【課題】出力の極性を切り替えることが可能であり、かつ、簡単にオフセット温特補償が可能なセンサ用の信号処理回路を提供すること。【解決手段】メインアンプ３は、ホール素子２からの信号を増幅し、かつ、ホール素子２及び信号処理回路１１のオフセットの温度特性を補償する。極性切替増幅器９は、メインアンプ３からの出力を、極性を切り替えて出力する。オフセット温特補償部５は、ホール素子２及び信号処理回路１１のオフセットの温度特性を補償するための補償電圧を生成する。メインアンプ３は、補償電圧に基づいて、ホール素子２及び信号処理回路１１のオフセットの温度特性を補償する。【選択図】図５
2015036667.tif 000002
【特許請求の範囲】
【請求項１】
磁気センサからの信号を処理して出力する信号処理回路において、
前記磁気センサからの信号を増幅し、かつ、前記磁気センサ及び前記信号処理回路のオフセットの温度特性を補償するメインアンプと、
該メインアンプからの出力を、極性を切り替えて出力する極性切替増幅器と、
を有することを特徴とする信号処理回路。
【請求項２】
前記磁気センサ及び前記信号処理回路のオフセットの温度特性を補償するための補償電圧を生成するオフセット温特補償部を有し、
前記メインアンプは、前記補償電圧に基づいて、前記磁気センサ及び前記信号処理回路のオフセットの温度特性を補償することを特徴とする請求項１に記載の信号処理回路。
【請求項３】
前記極性切替増幅器の出力の極性を切り替えるための極性切替信号を生成する極性切替信号生成部を有し、前記極性切替増幅器は、前記極性切替信号に基づいて、出力の極性を切り替えることを特徴とする請求項２に記載の信号処理回路。
【請求項４】
前記極性切替増幅器は、極性切替部を備えた極性切替アンプと、該極性切替アンプの出力端子と各入力端子との間に接続されたフィードバック先切替部とを有することを特徴とする請求項１，２又は３に記載の信号処理回路。
【請求項５】
前記極性切替増幅器は、
前記極性切替部で出力の極性を切り替えるとき、前記フィードバック先切替部で出力をフィードバックする入力端子も切り替えて負帰還を形成することを特徴とする請求項４に記載の信号処理回路。
【発明の詳細な説明】
【技術分野】
【０００１】
本発明は、信号処理回路に関し、より詳細には、オフセット温特補償ができ、かつ、出力の極性も切り替え可能な信号処理回路に関する。
【背景技術】
【０００２】
従来から各種測定器や制御系におけるセンサとして磁気・電気変換特性を有するホール素子が広く利用されている。この種のホール素子を用いた回路では、ホール素子のオフセット及び信号処理回路のオフセットが温度依存性を有することが知られている。
例えば、ホール素子など磁電変換素子を利用した電流検出器において、ホール素子が有する温度特性のために電流測定精度を向上させることが阻害されていた。これは、オフセット電圧の温度ドリフトが、使用するホール素子などの磁電変換素子自体の特性によって定まってしまうことに起因している。そこで、種々の温度に対する温度特性を有するホール素子を用意するものとすると、夫々の温度に対応温度特性を有する多数種類のホール素子を製造する必要があり、ホール素子自体が高コストとなる難点がある。
【０００３】
図１は、従来の極性切り替え機能を有する信号処理回路の回路構成図で、オフセット温特（温度特性）補償を行うための信号処理回路の回路構成図である。図１に示された信号処理回路１は、ホール素子２と、このホール素子２からの出力信号の極性を切り替える極性切替スイッチ６と、この極性切替スイッチ６に接続されたメインアンプ３と、このメインアンプ３に接続されたアンプ４と、メインアンプ３に接続されたオフセット温特補償部５とを備えている。なお、符号７はホール電流源を示している。
【０００４】
ホール素子２からの出力信号が、極性切替スイッチ６を経由してメインアンプ３のＭａｉｎ＋とＭａｉｎ−に入力され、オフセット温特補償部５によって生成される補償電圧（ＴＯＦＦ）によりオフセットの温特（温度特性）が補償されてアンプ４で出力される（Ｖｏｕｔ）。
【０００５】
図２は、図１に示した従来の極性切替回路のオフセット電圧の温度特性とオフセット電圧の温特補償する補償電圧の温度依存性を示す図で、ホール素子及びメインアンプとアンプのオフセットに温度特性による変動がある場合の補償の仕方について説明するための図である。なお、縦軸が電圧を模式的に示し、横軸が温度を示している。
【０００６】
ホール素子２のオフセット電圧がホールオフセットであり、メインアンプ３とアンプ４のオフセット電圧がアンプオフセットである。そして、両者の合計オフセット電圧が、被補償電圧（Ｍａｉｎ＋Ａｍｐ）である。それぞれのオフセット電圧は、補正基準温度で補正されるが、ホールオフセットもアンプオフセットも温度に対してほぼ１次の温特を有している。
【０００７】
そのため、オフセット温特補償部５によって生成される補償電圧（ＴＯＦＦ）も、被補償電圧の温特を打ち消すように１次の温特を持たせている。それにより、温特補償後の電圧は、温度によらず一定となる。つまり、オフセットの温度による変動を補償することができる。
ホール素子を用いたセンサは、比較的温度変化の大きな環境にて使用されることがあるので、オフセットの温度変動に対して安定した出力が得られるようにするため種々のオフセット温度補償回路が提案されている。
【０００８】
例えば、特許文献１に記載のものは、ホール素子などの磁電変換素子を利用した電流検出器の温度補償回路に関するもので、ホール素子と、温度感知素子と、ホール素子を駆動するための定電流発生回路と、温度補償信号やオフセット電圧調整に必要な定電圧発生回路と、増幅器からなる温度補償信号発生回路と、ホール素子からの出力電圧を増幅する電圧増幅回路と、温度補償回路とを備えている。
【０００９】
また、特許文献２に記載のものは、ホール素子を用いた電流センサ回路に関するもので、環境の変化などに対応して簡単に調整を行うことができるようにしたものである。
また、特許文献３に記載のものは、ホール素子を用いた電流センサに関するもので、周囲温度変化によって発生するオフセット温度ドリフトをより簡素な構成で補償することができるようにしたものである。
【先行技術文献】
【特許文献】
【００１０】
【特許文献１】特開２００６−３２０９号公報
【特許文献２】特開平１０−２８２１５５号公報
【特許文献３】特開２００５−３７３６９号公報
【発明の概要】
【発明が解決しようとする課題】
【００１１】
一般的に、ホール素子が検知する磁場には、Ｎ極とＳ極の信号があり、センサ入力として磁場のＮ極の信号のみを使用する場合だけではなく、Ｓ極の信号のみを使用する場合や両方の極性を使う場合が想定される。その際に、出力の極性を切り替えることができれば、センサ入力の極性を調整する必要がなく、出力側で極性の調整が可能となる。
しかしながら、上述した図１において、極性を切り替えて出力を行いたい場合、オフセット温特補償を行っても、オフセット温特が残ってしまうという問題がある。この点について、以下の図３及び図４を用いて説明する。
【００１２】
図３は、図１に示した従来の極性切り替え機能を有する信号処理回路の信号切り替えを示す回路構成図で、出力の極性を切り替えるため、極性切替スイッチ６で、メインアンプ３の入力端子を切り替えた信号処理回路１である。ここで、この切り替えを行ったときの、オフセット温特がある場合の補償について、図４を用いて説明する。
図４は、図３に示した従来の極性切替回路のオフセット電圧の温度特性とオフセット電圧の温特補償する補償電圧の温度依存性を示す図である。なお、縦軸が電圧を模式的に示し、横軸が温度を示している。
【００１３】
ホール素子２のオフセット電圧がホールオフセットであり、メインアンプ３とアンプ４のオフセット電圧がアンプオフセットである。そして、両者の合計オフセット電圧が、被補償電圧（Ｍａｉｎ＋Ａｍｐ）である。
図２の場合と異なり、ホールオフセットは、極性切り替えスイッチ６により温度に対して負の傾きをもつこととなる。一方、アンプオフセットは、図２の場合と同様、温度に対して正の傾きをもつこととなる。
【００１４】
そのため、被補償電圧（Ｍａｉｎ＋Ａｍｐ）が極性を切り替える前の図２と極性を切り替えた後の図４で、その大きさが異なることがわかる。そのため、図４において、温特補償後の出力電圧が温特をもってしまうという問題がある。
つまり、出力アンプの極性を切り替える場合、オフセット温特補償部の補償電圧の大きさも変更しなければならないという課題があった。
【００１５】
本発明は、このような問題に鑑みてなされたもので、その目的とするところは、出力の極性を切り替えることが可能であり、かつ、簡単にオフセット温特補償が可能なセンサ用の信号処理回路を提供することにある。
【課題を解決するための手段】
【００１６】
本発明は、このような目的を達成するためになされたもので、請求項１に記載の発明は、磁気センサ（２）からの信号を処理して出力する信号処理回路（１１，２１）において、前記磁気センサ（２）からの信号を増幅し、かつ、前記磁気センサ（２）及び前記信号処理回路（１１，２１）のオフセットの温度特性を補償するメインアンプ（３）と、該メインアンプ（３）からの出力を、極性を切り替えて出力する極性切替増幅器（９）と、を有することを特徴とする。（図５，図１２；実施例１，２）
【００１７】
また、請求項２に記載の発明は、請求項１に記載の発明において、前記磁気センサ（２）及び前記信号処理回路（１１，２１）のオフセットの温度特性を補償するための補償電圧を生成するオフセット温特補償部（５）を有し、前記メインアンプ（３）は、前記補償電圧に基づいて、前記磁気センサ（２）及び前記信号処理回路（１１，２１）のオフセットの温度特性を補償することを特徴とする。
【００１８】
また、請求項３に記載の発明は、請求項２に記載の発明において、前記極性切替増幅器（９）の出力の極性を切り替えるための極性切替信号を生成する極性切替信号生成部（１０）を有し、前記極性切替増幅器（９）は、前記極性切替信号に基づいて、出力の極性を切り替えることを特徴とする。（図１２；実施例２）
また、請求項４に記載の発明は、請求項１，２又は３に記載の発明において、前記極性切替増幅器（９）は、極性切替部（９３６）を備えた極性切替アンプ（９３）と、該極性切替アンプ（９３）の出力端子と各入力端子との間に接続されたフィードバック先切替部（９１，９２）とを有することを特徴とする。（図１３）
【００１９】
また、請求項５に記載の発明は、請求項４に記載の発明において、前記極性切替増幅器（９）は、前記極性切替部（９３６）で出力の極性を切り替えるとき、前記フィードバック先切替部（９１，９２）で出力をフィードバックする入力端子も切り替えて負帰還を形成することを特徴とする。
【発明の効果】
【００２０】
本発明によれば、磁気センサからの信号を増幅し、かつ、磁気センサ及び信号処理回路のオフセットの温度特性を補償するメインアンプと、このメインアンプからの出力を、極性を切り替えて出力する極性切替増幅器とを備えたので、出力の極性を切り替えることが可能であり、かつ、簡単にオフセット温特補償が可能な信号処理回路を実現することができる。
【図面の簡単な説明】
【００２１】
【図１】従来の極性切り替え機能を有する信号処理回路の回路構成図である。
【図２】図１に示した従来の極性切替回路のオフセット電圧の温度特性とオフセット電圧の温特補償する補償電圧の温度依存性を示す図である。
【図３】図１に示した従来の極性切り替え機能を有する信号処理回路の信号切り替えを示す回路構成図である。
【図４】図３に示した従来の極性切替回路のオフセット電圧の温度特性とオフセット電圧の温特補償する補償電圧の温度依存性を示す図である。
【図５】本発明の第１の実施形態における極性切り替え信号処理回路の構成を示す回路図である。
【図６】図５に示した極性切替増幅器の回路構成図である。
【図７】図６に示した極性切替増幅器で＋極性で出力する際のオフセット電圧の温度特性とオフセット電圧の温特補償する補償電圧の温度依存性を示す図である。
【図８】図６に示した極性切替増幅器の構成の極性切り替え状態を示す回路構成図である。
【図９】図８に示した極性切替増幅器で−極性で出力する際のオフセット電圧の温度特性とオフセット電圧の温特補償する補償電圧の温度依存性を示す図である。
【図１０】図６に示したフィードバック用スイッチの接続における極性切替増幅器の極性切替アンプの内部構成図である。
【図１１】図８に示したフィードバック用スイッチの接続における極性切替増幅器の極性切替アンプの内部構成図である。
【図１２】本発明に係る信号処理回路の実施形態２を説明するための回路構成図である。
【図１３】本発明における極性切替アンプの変形例を示す回路構成図である。
【図１４】本発明における極性切替アンプの他の変形例を示す回路構成図である。
【図１５】本発明における極性切替アンプのさらに他の変形例を示す回路構成図である。
【図１６】本発明における温特補償をする補償電圧のメインアンプへの電圧入力例を示す回路構成図である。
【発明を実施するための形態】
【００２２】
以下、図面を参照して本発明の各実施形態について説明する。
図５は、本発明に係る信号処理回路の実施形態１を説明するための回路構成図である。図中符号９は極性切替増幅器、９１は＋極性入力側フィードバック用切替スイッチ、９２は−極性入力側フィードバック用切替スイッチ、９３は極性切替アンプを示している。なお、図１及び図３と同じ機能を有する構成要素には同一の符号を付してある。
【００２３】
本実施形態１の信号処理回路１１は、磁気センサ（ホール素子）２からの信号を処理して出力する信号処理回路１１である。
メインアンプ３は、ホール素子２からの信号を増幅し、かつ、ホール素子２及び信号処理回路１１のオフセットの温度特性を補償するものである。また、極性切替増幅器９は、メインアンプ３からの出力を、極性を切り替えて出力するものである。
【００２４】
また、オフセット温特補償部５は、ホール素子２及び信号処理回路１１のオフセットの温度特性を補償するための補償電圧を生成するもので、メインアンプ３は、補償電圧に基づいて、ホール素子２及び信号処理回路１１のオフセットの温度特性を補償するものである。
つまり、本実施形態１の信号処理回路１１は、磁気センサであるホール素子２と、メインアンプ３と、極性切替増幅器９と、オフセット温特補償部５と、磁気センサの駆動手段であるホール電流源７とを備えている。
【００２５】
ホール素子２からの出力信号が、メインアンプ３のＭａｉｎ＋とＭａｉｎ−に入力され、オフセット温特補償部５によって生成される補償電圧（ＴＯＦＦ）により、オフセット温特が補償されて、極性切替増幅器９で出力される（Ｖｏｕｔ）。このように、図５では、図１及び図３のような極性切替スイッチがなくなり、極性切替増幅器９が追加された構成になっている。
【００２６】
図６は、図５に示した極性切替増幅器の回路構成図である。図６に基づいて、極性切替増幅器９の動作について説明する。
図６において、極性切替増幅器９は、＋極性入力側フィードバック用切替スイッチ９１と、−極性入力側フィードバック用切替スイッチ９２と、極性切替部である極性切替用スイッチ９１，９２を内包する極性切替アンプ９３とで構成されている。
【００２７】
図６に示した＋極性入力側フィードバック用切替スイッチ９１を接続せず、−極性入力側フィードバック用切替スイッチ９２を接続した場合は、図１と同じ信号処理構成となり、図１と同じ出力極性を得ることができる。
図７は、図６に示した極性切替増幅器で＋極性で出力する際のオフセット電圧の温度特性とオフセット電圧の温特補償する補償電圧の温度依存性を示す図である。なお、縦軸が電圧を模式的に示し、横軸が温度を示している。
【００２８】
図７を用いてホール素子２とメインアンプ３と極性切替増幅器９にオフセットの温度変動がある場合の、オフセット温特補償の仕方について説明する。
ホール素子２のオフセット電圧がホールオフセットであり、メインアンプ３と極性切替増幅器９のオフセット電圧がアンプオフセットである。そして、両者の合計オフセット電圧が、被補償電圧（Ｍａｉｎ＋Ａｍｐ）である。それぞれのオフセット電圧は、補正基準温度でのオフセット電圧を基準とし補正されるが、ホールオフセットもアンプオフセットも温度に対してほぼ１次の温特を有している。
【００２９】
そのため、オフセット温特補償部５によって生成される補償電圧（ＴＯＦＦ）も、被補償電圧の温特を打ち消すように１次の温特を持たせている。それにより、温特補償後の電圧は、温度によらず一定となる。つまり、図１の回路同様に図５の回路もオフセット温特を補償することができる。
図８は、図６に示した極性切替増幅器の構成の極性切り替え状態を示す回路構成図である。図８に示すように、＋極性入力側フィードバック用スイッチ９１を接続し、−極性入力側フィードバックスイッチ９２を接続しない場合は、図３と同様の信号処理構成となり、図３と同じ出力極性を得ることができる。
【００３０】
図９は、図８に示した極性切替増幅器で−極性で出力する際のオフセット電圧の温度特性とオフセット電圧の温特補償する補償電圧の温度依存性を示す図である。なお、縦軸が電圧を模式的に示し、横軸が温度を示している。
ここで、図９を用いてホール素子２とメインアンプ３と極性切替増幅器９にオフセットの温特がある場合の補償の仕方について説明する。
【００３１】
ホール素子２のオフセット電圧がホールオフセットであり、メインアンプ３と極性切り替え増幅器９のオフセット電圧がアンプオフセットである。そして、両者の合計オフセット電圧が、被補償電圧（Ｍａｉｎ＋Ａｍｐ）である。
図９から理解できるように、図４の場合と同様に、信号処理回路１１の出力からみると、ホールオフセットは、極性切替増幅器９により温度に対して負の傾きをもつこととなる。
【００３２】
しかしながら、図３に示したように、極性切替スイッチ６で出力の極性を切り替えるのではなく、本実施形態１では、極性切替増幅器９の極性切替アンプ９３で極性を切り替えるため、アンプオフセットは、図４の場合と異なり、アンプのオフセットも極性切り替えができる構成となっているために、温度に対して負の傾きをもつこととなる。
そのため、図３に示した回路の場合と異なり、図５に示した回路では、極性を切り替えても、オフセット温特補償部５の補償電圧の大きさを変更することなく、オフセット温特を補償することができる。
【００３３】
図１０は、図６に示したフィードバック用スイッチの接続における極性切替増幅器の極性切替アンプの内部構成図で、図１１は、図８に示したフィードバック用スイッチの接続における極性切替増幅器の極性切替アンプの内部構成図である。
図１０及び図１１の極性切替アンプ９３は、一般的なＡ級アンプとなっており、ＰＭＯＳトランジスタＴｒ１，Ｔｒ４がロード９３３、ＰＭＯＳトランジスタＴｒ２，Ｔｒ５が差動対９３１、ＮＭＯＳトランジスタＴｒ３がバイアス９３２となっており、ＰＭＯＳトランジスタＴｒ６とＮＭＯＳトランジスタＴｒ７の出力段９３４で構成されている。
【００３４】
ロード９３３は、極性切替スイッチとしてＳＷ１とＳＷ２を有している。また、出力段９３４のＴｒ６に接続される極性切り替えスイッチとしてＳＷ３とＳＷ４を有している。
次に、図１０及び図１１で極性切替増幅器９の極性切替アンプ９３の内部の極性切替スイッチと、フィードバック用スイッチ９１，９２の対応関係について説明する。
まず、＋極性を出力するときの、フィードバック用スイッチ９１，９２と、極性切替アンプ９３の内部の極性切替スイッチＳＷ１乃至ＳＷ４の対応関係について説明する。
【００３５】
図１０における極性切替アンプ９３の内部の極性切替スイッチＳＷ１乃至ＳＷ４は、ＳＷ１とＳＷ３がＯＮし、ＳＷ２とＳＷ４がＯＦＦしている。この接続は、一般的なＡ級アンプの接続となっており、ＳＷ３がＯＮしているためＰＩＮ側の出力を取っていることから、ＰＯＵＴ出力、つまり、出力が＋極性となる。
このとき、極性切替増幅器９のフィードバック用スイッチ９１，９２は、負帰還とするため、フィードバック用スイッチ９２をＯＮし、フィードバック用スイッチ９１をＯＦＦとする。つまり、図６に示すように、フィードバック用スイッチ９２を接続することで、極性切替アンプ９３のＮＩＮ側に出力を帰還させて、負帰還として発振を防いでいる。
【００３６】
次に、−極性を出力するときの、フィードバック用スイッチ９１，９２と、極性切替アンプ９３の内部の極性切替スイッチ（ＳＷ１乃至ＳＷ４の対応関係について説明する。
図１１における極性切替アンプ９３の内部の極性切替スイッチＳＷ１乃至ＳＷ４は、ＳＷ２とＳＷ４がＯＮし、ＳＷ１とＳＷ３がＯＦＦしている。この接続により、ＳＷ４がＯＮしているためＮＩＮ側の出力を取っていることから、ＮＯＵＴ出力、つまり、出力が−極性となる。
【００３７】
このとき、図６に示したように、フィードバック用スイッチ９２を接続したままでは、ＮＩＮ側に出力ＮＯＵＴを帰還させる構成であり、正帰還となり発振してしまう。そのため、フィードバック用スイッチ９２を閉じ、フィードバック用スイッチ９１を接続することで、出力をＰＩＮ側に帰還させ負帰還としている。
以上のような構成により、極性切替アンプ９３の内部の極性切替スイッチで、極性切替アンプ９３の出力極性をＰＯＵＴからＮＯＵＴへ切り替えるときは、極性切替増幅器９のフィードバック用スイッチ９１，９２で、出力のフィードバックする先をＮＩＮからＰＩＮへ切り替える。
【００３８】
以上のように、構成することで出力の極性を切り替えることが可能であり、かつ、簡単にオフセット温特補償が可能な信号処理回路が得られる。
図１２は、本発明に係る信号処理回路の実施形態２を説明するための回路構成図である。図中符号１０は、極性切替信号生成部を示している。なお、図５と同じ機能を有する構成要素には同一の符号を付してある。
【００３９】
極性切替信号生成部１０は、極性切替増幅器９の出力の極性を切り替えるための極性切替信号を生成するものである。また、極性切替増幅器９は、極性切替信号に基づいて出力の極性を切り替えるものである。
つまり、図１２において、センサ用信号処理回路２１は、ホール素子２と、メインアンプ３と、極性切替増幅器９と、オフセット温特補償部５と、ホール電流源７と、極性切替信号生成部１０とを備えている。
【００４０】
ホール素子２の出力が、メインアンプ３の入力に接続され、メインアンプ３の出力が極性切替増幅器９の入力に接続されて、極性切替増幅器９からＶＯＵＴとして出力される。また、オフセット温特補償部５から補償電圧ＴＯＦＦが生成され、その補償電圧ＴＯＦＦによりメインアンプ３でオフセット温特が補償される。
図１２は、図５よりも具体的な構成として、極性切替信号生成部１０を備えている点が異なる。この極性切替信号生成部１０で生成される極性切り替え信号により、極性切替増幅器９の出力極性と、フィードバック用スイッチ９１と９２が切り替えられる。その他の動作などは、図５乃至図９で説明した通りである。
【００４１】
図１３は、本発明における極性切替アンプの変形例を示す回路構成図で、極性切替アンプ９３の一例として、フォールデッドカスコードアンプの構成例を示している。図１３に示す極性切替アンプ９３は、差動対９３１と、バイアス９３２と、ロード９３３と、出力段９３４と、極性切替部９３６とを有している。
図１３において、ＶＢＰ２とＶＢＰ３には、極性切替信号生成部１０で生成される極性切り替え信号が入力されて、極性切替アンプ９３の出力の極性を切り替える。
【００４２】
つまり、極性切替増幅器９は、極性切替部９３６を備えた極性切替アンプ９３と、この極性切替アンプ９３の出力端子と各入力端子との間に接続されたフィードバック先切替部９１，９２とを有している。
また、極性切替増幅器９は、極性切替部９３６で出力の極性を切り替えるとき、フィードバック先切替部９１，９２で出力をフィードバックする入力端子も切り替えて負帰還を形成するものである。
【００４３】
具体的には、極性切り替え信号として、ＶＢＰ２へＯＦＦ、ＶＢＰ３へＯＮの信号が入力されると、Ｔｒ１３とＴｒ１４がＯＦＦとなり、Ｔｒ１１とＴｒ１２がＯＮとなって動作する。このとき、出力はＰＯＵＴとなるため、極性切替増幅器９において、フィードバック用スイッチ９１，９２を図６のように接続する。
一方、極性切り替え信号として、ＶＢＰ２へＯＮ、ＶＢＰ３へＯＦＦの信号が入力されると、Ｔｒ１３とＴｒ１４がＯＮとなり、Ｔｒ１１とＴｒ１２がＯＦＦとなって動作する。このとき、出力はＮＯＵＴとなるため、極性切替増幅器９において、フィードバック用スイッチ９１，９２を図８のように接続する。
【００４４】
図１３の極性切替アンプ９３の構成では、極性切替部９３６で、差動対９３１とロード９３３の間の接続を、極性切り替え信号に基づいて切り替える。そして、この極性切替部９３６では、Ｔｒ１１とＴｒ１２の＋極性用トランジスタ対と、Ｔｒ１３とＴｒ１４の−極性用トランジスタ対とを有し、極性切り替え信号によって、片方のトランジスタ対のみが動作する構成とすることで、差動対９３１とロード９３３の間の接続を切り替える。
【００４５】
このような構成とすると、極性切替アンプ９３のオフセットへの寄与が小さい部分で切り替えを行うため、出力極性を切り替えても、オフセットがほとんど変わらないため、好ましい。
図１４は、本発明における極性切替アンプの他の変形例を示す回路構成図で、図１３に示したフォールデッドカスコードアンプで、ＰＭＯＳとＮＭＯＳの構成を逆とした場合の構成例を示している。
【００４６】
図１５は、本発明における極性切替アンプのさらに他の変形例を示す回路構成図で、カスコードアンプ内に直接スイッチを使う場合の構成例を示している。
図１６は、メインアンプとオフセット温特補償部の一例を示す回路構成図である。
オフセット温特補償部５は、一般的な例を挙げるとＰＴＡＴ(絶対温度比例)電圧生成回路等が挙げられ、また他の温度補償できる電圧生成回路であってもよい。
メインアンプ３は、図１６に示した回路構成例で抵抗Ｒ１を介して、ホール出力信号であるＭａｉｎ＋とＭａｉｎ−、オフセット温特補償部５の出力電圧ＴＯＦＦ及び、コモン電圧ＶＣＯＭを入力としている。また、コモン電圧ＶＣＯＭは他の特性補償電圧であってもよい。
【００４７】
補正方法について図９で説明する。例えば、まず初めに図９の補正基準温度にてオフセット温特補償部５の出力電圧ＴＯＦＦを入力し、最終出力のオフセット値をゼロ付近に合わせる。次に温度変え、再度出力電圧ＴＯＦＦを入力し、最終出力のオフセット値を補正基準温度でのオフセット値に合わせる。これにより、図９の被補償電圧と逆の傾きを補償電圧ＴＯＦＦに持たせることができ、オフセット温特を補償することができる。
【００４８】
図１６において、アンプの＋端子にＭａｉｎ＋、アンプの−端子にＭａｉｎ−が、抵抗Ｒ１を介して入力される。オフセット温特補償部５の出力電圧ＴＯＦＦも抵抗Ｒ１を介してアンプの＋端子に入力される。例えば、補正基準温度から温度が上昇し、オフセットが温特により増加して、アンプ入力電圧であるＶ１＋とＶ１−の差動電圧が増加した場合、ＴＯＦＦ電圧値を補正基準温度のときのＴＯＦＦよりも低い電圧値とし、Ｖ１＋とＶ１−の差動電圧を補正基準温度での電圧値と同じ電圧値となるように調節することで、補正基準温度からの温度によるオフセットの増加分を、補償することができる。
【００４９】
なお、本実施形態１，２では、極性切替アンプとして、極性切替部を備えたシングル出力のアンプを挙げたが、極性切替部を備えた全差動アンプであってもよい。
また、本発明の信号処理回路は、上述した特許文献１乃至３に記載の電流センサやホール素子などの磁気センサを備えた電子機器などに適用できることは明らかである。
【符号の説明】
【００５０】
１  信号処理回路
２  ホール素子（磁気センサ）
３  メインアンプ
４  アンプ
５  オフセット温特補償部
６  極性切替スイッチ
７  ホール電流源
９  極性切替増幅器
１０  極性切替信号生成部
１１，１２  信号処理回路
９１  ＋極性入力側フィードバック用切替スイッチ
９２  −極性入力側フィードバック用切替スイッチ
９３  極性切替アンプ
９３１  差動対
９３２  バイアス
９３３  ロード
９３４  出力段
９３６  極性切替部
【図１】
2015036667.tif 000003
【図２】
2015036667.tif 000004
【図３】
2015036667.tif 000005
【図４】
2015036667.tif 000006
【図５】
2015036667.tif 000007
【図６】
2015036667.tif 000008
【図７】
2015036667.tif 000009
【図８】
2015036667.tif 000010
【図９】
2015036667.tif 000011
【図１０】
2015036667.tif 000012
【図１１】
2015036667.tif 000013
【図１２】
2015036667.tif 000014
【図１３】
2015036667.tif 000015
【図１４】
2015036667.tif 000016
【図１５】
2015036667.tif 000017
【図１６】
2015036667.tif 000018